(57)【要約】【課題】複数台（４台、９台など）のテレビジョン受像機の映像モニタをマトリックス配置したマルチ表示装置において、目地補正を正確に行うとともに、文字情報を常に正しく読むことができるようにする。【解決手段】映像モニタ８の水平枠および垂直枠にそれぞれ対応した水平方向および垂直方向の移動量が格納されたＲＯＭ１１と、映像モニタ８に表示される画像情報をＲＯＭ１１に格納された移動量だけ間引くマイコン１０とを備える。これにより、映像モニタ８の目地幅に対応した間引き量が、水平方向および垂直方向の移動量としてメモリされているため、目地補正を正確に行うことができる。また、文字情報を表示する場合は、目地補正が行われないので、文字情報が目地に隠れる形で欠落する恐れはない。【選択図】図１
2006319509.tif 000002
【特許請求の範囲】
【請求項１】
入力された映像情報のうち一部領域を選択または調整された任意の倍率で表示部に拡大表示処理をすることが可能な表示装置において、
選択または調整された所定倍率で前記映像情報のうちの一部領域を表示部に拡大表示すると同時に、前記表示部に表示された映像情報を垂直方向および水平方向に対しそれぞれ所定の幅で移動表示処理することを特徴とする表示装置。
【請求項２】
前記表示装置は、前記選択または調整された所定倍率および拡大表示された一部領域の位置に応じて、表示された映像情報の垂直方向および水平方向の移動量がそれぞれ決定されることを特徴とする請求項１に記載の表示装置。
【請求項３】
前記表示装置は、複数の表示装置によって入力された映像情報のうち全ての情報を表示する第１のモードと、入力された映像情報のうち前記表示部の周辺領域が占有する幅の分だけ間引いた情報を表示する第２のモードとを有し、前記第１および第２のモードを選択するための選択手段を有することを特徴とする請求項１または２に記載の表示装置。
【請求項４】
前記選択または調整された所定倍率は、２以上の自然数の縮尺比に相当する数値であることを特徴とする請求項１乃至３のいずれかに記載の表示装置。
【請求項５】
入力された映像情報のうち一部領域を選択または調整された任意の倍率で表示部に拡大表示処理をすることが可能な表示方法において、
選択された所定倍率で前記映像情報のうちの一部領域を表示部に拡大表示すると同時に、前記表示部に表示された映像情報を垂直方向および水平方向に対しそれぞれ所定の幅で移動表示処理することを特徴とする表示方法。
【請求項６】
前記表示方法では、前記選択された所定倍率および拡大表示された一部領域の位置に応じて、表示された映像情報の垂直方向および水平方向の移動量がそれぞれ決定されることを特徴とする請求項５に記載の表示方法。
【請求項７】
前記表示方法では、複数の表示装置によって入力された映像情報のうち全ての情報を表示する第１のモードと、入力された映像情報のうち前記表示部の周辺領域が占有する幅の分だけ間引いた情報を表示する第２のモードとが、任意に選択されることを特徴とする請求項５または６に記載の表示方法。
【請求項８】
前記選択または調整された所定倍率は、２以上の自然数の縮尺比に相当する数値であることを特徴とする請求項５乃至７のいずれかに記載の表示方法。
【発明の詳細な説明】
【技術分野】
【０００１】
本発明は、エンラージ機能を備えたテレビジョン受像機などの表示装置と、この表示装置における表示方法とに関するものである。
【背景技術】
【０００２】
従来、この種の表示装置を複数台（例えば、４台、９台、１６台など）つなげてマトリックス配置したマルチ表示装置においては、各テレビジョン受像機のエンラージ機能を利用して映像の拡大表示を行うと、各映像モニタの周囲四方に一定幅の目地（ベゼル）が存在するため、その目地部分で映像が間延びして全体として不自然に表示されてしまう。例えば、円を拡大表示すると、その真円度（つまり、円形部分の幾何学的円からの狂いの大きさ）が悪化する。そこで、映像を自然に拡大表示するため、目地補正を行うことが望ましい。
【０００３】
こうした目地補正としては、水平方向および垂直方向の目地幅をゼロとする範囲から両方向の補正値分ずらした範囲に移動することにより、映像モニタのメモリでの表示範囲を適宜設定する方法が提案されていた（例えば、特許文献１参照）。
【特許文献１】特開平４−１３９９７４号公報
【発明の開示】
【発明が解決しようとする課題】
【０００４】
しかし、これでは次のような不都合があった。
【０００５】
第１に、映像モニタを設置してから、目視で真円度を合わせなければならず、目視確認に必要な画面からの距離を取りながら、大雑把な合わせ込みを行うしかない。したがって、任意の拡大率に対してそれぞれ最適な真円度で映像情報を表示することができない。
【０００６】
第２に、文字情報を拡大表示する場合は、目地補正によって文字が目地に隠れる形で欠落し、その部分が正しく読めなくなる恐れがある。
【０００７】
本発明は、こうした不都合を解消することが可能な、表示装置および表示方法を提供することを目的とする。
【課題を解決するための手段】
【０００８】
まず、請求項１に係る表示装置の発明は、入力された映像情報のうち一部領域を選択または調整された任意の倍率で表示部に拡大表示処理をすることが可能な表示装置において、選択または調整された所定倍率で前記映像情報のうちの一部領域を表示部に拡大表示すると同時に、前記表示部に表示された映像情報を垂直方向および水平方向に対しそれぞれ所定の幅で移動表示処理することを特徴とする。
また、請求項２に係る表示装置の発明は、前記表示装置は、前記選択または調整された所定倍率および拡大表示された一部領域の位置に応じて、表示された映像情報の垂直方向および水平方向の移動量がそれぞれ決定されることを特徴とする。
また、請求項３に係る表示装置の発明は、前記表示装置は、複数の表示装置によって入力された映像情報のうち全ての情報を表示する第１のモードと、入力された映像情報のうち前記表示部の周辺領域が占有する幅の分だけ間引いた情報を表示する第２のモードとを有し、前記第１および第２のモードを選択するための選択手段を有することを特徴とする。
また、請求項４に係る表示装置の発明は、前記選択または調整された所定倍率は、２以上の自然数の縮尺比に相当する数値であることを特徴とする。
また、請求項５に係る表示方法の発明は、入力された映像情報のうち一部領域を選択または調整された任意の倍率で表示部に拡大表示処理をすることが可能な表示方法において、選択された所定倍率で前記映像情報のうちの一部領域を表示部に拡大表示すると同時に、前記表示部に表示された映像情報を垂直方向および水平方向に対しそれぞれ所定の幅で移動表示処理することを特徴とする。
また、請求項６に係る表示方法の発明は、前記表示方法では、前記選択された所定倍率および拡大表示された一部領域の位置に応じて、表示された映像情報の垂直方向および水平方向の移動量がそれぞれ決定されることを特徴とする。
また、請求項７に係る表示方法の発明は、前記表示方法では、複数の表示装置によって入力された映像情報のうち全ての情報を表示する第１のモードと、入力された映像情報のうち前記表示部の周辺領域が占有する幅の分だけ間引いた情報を表示する第２のモードとが、任意に選択されることを特徴とする。
また、請求項８に係る表示方法の発明は、前記選択または調整された所定倍率は、２以上の自然数の縮尺比に相当する数値であることを特徴とする。
【発明の効果】
【０００９】
本発明によれば、任意の拡大率に対してそれぞれ最適な真円度で映像情報を表示することが可能となる。
また、文字情報を表示する場合は、目地補正が行われないので、文字情報が目地に隠れる形で欠落する恐れはない。したがって、文字情報を常に正しく読むことができる。
【発明を実施するための最良の形態】
【００１０】
以下、本発明の実施形態を図面に基づいて説明する。
【００１１】
＜第１の実施形態−請求項１〜８に対応＞
図１は本発明に係る表示装置の第１の実施形態であるテレビジョン受像機の制御ブロック図、図２は図１に示すテレビジョン受像機を用いて４面のマルチ表示装置を構成した状態を示す模式図、図３は図１に示すテレビジョン受像機を用いて９面のマルチ表示装置を構成した状態を示す模式図、図４は表示補正プログラムのフローチャート、図５は４面のマルチ表示装置のアンダースキャン／オーバースキャン処理時の表示例を示す模式図、図６は９面のマルチ表示装置のオーバースキャン処理時の表示例を示す模式図である。
【００１２】
テレビジョン受像機１は、映像モニタ８の周辺領域において垂直方向および水平方向に対しそれぞれ所定の幅の目地（ベゼル）を有し、入力された映像情報のうち一部領域を選択または調整された任意の倍率で表示部に拡大表示処理をすることができる。
【００１３】
すなわち、テレビジョン受像機１は、図１に示すように、アンテナを経由して受信したＲＦ信号をビデオ信号にデコードするチューナ２と、コンポジット、Ｓ、コンポーネントのいずれかのビデオ信号を入力するビデオ入力部３と、チューナ２からのビデオ信号またはビデオ入力部３からのビデオ信号を切り替えるビデオスイッチ４と、１フレームの映像情報（画像、文字など）を保存するフレームメモリ５と、ビデオ信号のＩＰ変換、スケーリング、デジタルＲＧＢ変換などを行う映像処理回路６と、映像情報を拡大表示するＬＣＤ（液晶ディスプレイ）、ＰＤＰ（プラズマディスプレイパネル）などの映像モニタ（表示部）８と、４面／９面設定値を選択し、表示領域を割り当て、移動量メモリを選択し、表示処理を行うマイコン（マイクロコンピュータ）１０と、Ｒ／Ｃ信号をマイコン１０へ伝達するＲ／Ｃ受光部９と、４面／９面マルチ選択手段、表示領域割り当てが記録されたＲＯＭ（読取り専用記憶装置）１１とを備えている。
【００１４】
そして、映像処理回路６にはスケーラー処理回路７が組み込まれており、スケーラー処理回路７は、入力された映像信号に対し、ユーザ（視聴者）の操作などに応じた適当なサイズ、表示位置、アスペクト比に変換し、変換した映像情報を画面上に表示させる機能を備えている。また、映像モニタ８の周辺領域においては、垂直方向および水平方向に対しそれぞれ所定の幅の目地（ベゼル）が設けられている。さらに、ＲＯＭ１１には、映像モニタ８のサイズ（２６インチ、３２インチ、３７インチなど）に対応したメモリマップ１２が読み出し自在に格納されている。メモリマップ１２には、図１に示すように、マルチパネル画面数（４面、９面、１６面）ごとに、水平方向および垂直方向の移動量が映像モニタ８の設置位置に応じて記載されている。ここで、この水平方向および垂直方向の移動量は、選択または調整された所定倍率および拡大表示された一部領域の位置に応じて決定されている。図１に示すメモリマップ１２は、業務用３７型ＬＣＤ（１３６６×７６８ドット、水平枠（映像モニタ８の左右にある目地の幅）６３．７ｍｍ、垂直枠（映像モニタ８の上下にある目地の幅）５４．６ｍｍ）の場合を例示したものである。
【００１５】
また、テレビジョン受像機１は、図１に示すように、リモコン１３を備えており、リモコン１３にはエンラージボタン１３ａが設けられている。
【００１６】
このテレビジョン受像機１を用いて構成した４面のマルチ表示装置２１においては、図２に示すように、４台のテレビジョン受像機１が２段２列（画面１、画面２、画面３、画面４）で配置されており、これらのテレビジョン受像機１に映像信号を送信する分配器２２と、この分配器２２に映像信号を送信する信号源２３が設けられている。
【００１７】
また、テレビジョン受像機１を用いて構成した９面のマルチ表示装置３１においては、図３に示すように、９台のテレビジョン受像機１が３段３列（画面１、画面２、画面３、画面４、画面５、画面６、画面７、画面８、画面９）で配置されており、これらのテレビジョン受像機１に映像信号を送信する分配器３２と、この分配器３２に映像信号を送信する信号源３３が設けられている。
【００１８】
したがって、これら２種のマルチ表示装置２１、３１に映像（画像、文字）の拡大表示を行う際には、特定の１台のテレビジョン受像機１のマイコン１０は、図４に示す表示補正プログラムＰＲＧに基づき、次に述べるとおり、各種の動作を実行する。
【００１９】
まず、マイコン１０は、エンラージ機能を選択するか否かの画面を映像モニタ８上にＯＳＤ表示する（表示補正プログラムＰＲＧのステップＳ１）。これを見てユーザは、エンラージ機能を選択するか否かを決定し、エンラージ機能を選択する場合には、リモコン１３のエンラージボタン１３ａを押す。
【００２０】
すると、エンラージ機能が選択された旨の信号が、リモコン１３からＲ／Ｃ受光部９を介してマイコン１０に入力される。これを受けてマイコン１０は、エンラージ機能が選択されたと認識し、４面マルチと９面マルチのいずれかを選択する画面を映像モニタ８上にＯＳＤ表示する（表示補正プログラムＰＲＧのステップＳ２）。これを見てユーザは、４面のマルチ表示装置２１の場合は、リモコン１３のエンラージボタン１３ａを１度押して４面マルチを選択し、９面のマルチ表示装置３１の場合は、リモコン１３のエンラージボタン１３ａを２度押して９面マルチを選択する。
【００２１】
そして、ここで４面マルチが選択された場合、その旨の信号が、リモコン１３からＲ／Ｃ受光部９を介してマイコン１０に入力される。これを受けてマイコン１０は、４面マルチが選択されたと認識し、４台のテレビジョン受像機１の映像モニタ８用の設定画面を映像モニタ８上にＯＳＤ表示するとともに、各映像モニタ８の表示領域割り当て画面を映像モニタ８上にＯＳＤ表示する（表示補正プログラムＰＲＧのステップＳ３）。これを見てユーザは、リモコン１３を適宜操作することにより、４個の映像モニタ８について、その配置ポジション（上段左列、上段右列、下段左列、下段右列）をそれぞれ設定し、各映像モニタ８について、色の濃さ、色あい、明るさ、画面位置など各種の調整を行う。
【００２２】
次いで、マイコン１０は、アンダースキャン／オーバースキャンの設定選択画面を映像モニタ８上にＯＳＤ表示する（表示補正プログラムＰＲＧのステップＳ４）。これに見てユーザは、映像情報の種類（画像情報なのか、文字情報なのか）に応じて、アンダースキャンとオーバースキャンのいずれか一方を選択して指示する（表示補正プログラムＰＲＧのステップＳ５）。すなわち、文字情報を読む場合はアンダースキャンを選択し、画像情報を見る場合はオーバースキャンを選択する。
【００２３】
そして、アンダースキャンが選択された場合、マイコン１０は、アンダースキャンモード（複数のテレビジョン受像機１によって入力された映像情報のうち全ての情報を表示する第１のモード）に切り替え、目地補正を行うことなく映像情報を拡大表示する（表示補正プログラムＰＲＧのステップＳ６）。このとき、マイコン１０は、選択または調整された所定倍率で映像情報のうちの一部領域を表示部に拡大表示する。すなわち、マイコン１０は、映像情報を水平方向および垂直方向にそれぞれ２等分（全部で４分割）し、それらを水平方向および垂直方向にそれぞれ２倍（面積で４倍）に拡大し、その状態で４個の映像モニタ８に表示する。
【００２４】
その結果、画像情報、例えば楕円については、図５に示すように、左上の１／４円が上段左列の映像モニタ８に、右上の１／４円が上段右列の映像モニタ８に、左下の１／４円が下段左列の映像モニタ８に、右下の１／４円が下段右列の映像モニタ８に、それぞれ表示される。その結果、映像モニタ８の目地部分で画像（楕円）が間延びして全体として不自然に表示されてしまう。
【００２５】
これに対して、文字情報、例えば「頌春２００５今年もよろしくお願い申し上げます。」については、目地補正が行われないので、文字情報が目地に隠れる形で欠落する恐れはない。したがって、エンラージ機能を利用して４面マルチで文字情報を表示しても、その文字情報を常に正しく読むことができる。
【００２６】
他方、オーバースキャンが選択された場合、マイコン１０は、オーバースキャンモード（入力された映像情報のうち映像モニタ８の周辺領域が占有する幅の分だけ間引いた情報を表示する第２のモード）に切り替え、目地補正を行いつつ映像情報を拡大表示する（表示補正プログラムＰＲＧのステップＳ７）。このとき、マイコン１０は、選択または調整された所定倍率で映像情報のうちの一部領域を表示部に拡大表示すると同時に、映像モニタ８に表示された映像情報を垂直方向および水平方向に対しそれぞれ所定の幅で移動表示処理する。すなわち、マイコン１０は、映像情報を水平方向および垂直方向にそれぞれ２等分（全部で４分割）し、それらを水平方向および垂直方向にそれぞれ２倍（面積で４倍）に拡大する。さらに、マイコン１０は、ＲＯＭ１１からメモリマップ１２を読み出し、このメモリマップ１２に記載された４画面用の水平方向および垂直方向の移動量だけ映像情報を間引き、その状態で４個の映像モニタ８に表示する。
【００２７】
例えば、図１に示すテレビジョン受像機１のメモリマップ１２には、４画面用の水平方向および垂直方向の移動量として、画面１（図２の上段左列の映像モニタ８）については右１０６ドット、下９１ドット、画面２（図２の上段右列の映像モニタ８）については左１０６ドット、下９１ドット、画面３（図２の下段左列の映像モニタ８）については右１０６ドット、上９１ドット、画面４（図２の下段右列の映像モニタ８）については左１０６ドット、上９１ドットと記載されている。したがって、画面１に表示される映像情報は、右側および下側がそれぞれ１０６ドットおよび９１ドットだけ間引かれ、画面２に表示される映像情報は、左側および下側がそれぞれ１０６ドットおよび９１ドットだけ間引かれる。また、画面３に表示される映像情報は、右側および上側がそれぞれ１０６ドットおよび９１ドットだけ間引かれ、画面４に表示される映像情報は、左側および上側がそれぞれ１０６ドットおよび９１ドットだけ間引かれる。このように、各画面に表示される映像情報の間引き量、つまり水平方向および垂直方向の移動量は、予め各テレビジョン受像機１に映像モニタ８のサイズに対応する形でメモリされているので、目視に頼らざるを得ない従来法と比べて、マルチ表示装置２１、３１に必要な目地補正を正確に行うことができる。また、この移動量は映像モニタ８の画素数で表現されているため、マイコン１０による間引き制御が容易となる。
【００２８】
その結果、文字情報については、目地補正が行われるため、文字情報が目地に隠れる形で欠落する恐れがある。
【００２９】
これに対して、画像情報、例えば楕円については、図５に示すように、左上の１／４円が上段左列の映像モニタ８に、右上の１／４円が上段右列の映像モニタ８に、左下の１／４円が下段左列の映像モニタ８に、右下の１／４円が下段右列の映像モニタ８に、それぞれ表示されるが、このとき目地補正が行われるため、楕円が歪むことなく自然に表示される。すなわち、この目地補正における水平方向および垂直方向の移動量は、上述したとおり、選択または調整された所定倍率および拡大表示された一部領域の位置に応じて決定されているため、１フレームに対し分割された各表示領域に対して適当な垂直、水平方向移動処理ができることによって、任意の倍率で拡大表示されてもフレーム全体として真円度を損なうことのない最適な表示処理をすることが可能となる。
【００３０】
このように、ユーザからの指示に基づいてアンダースキャンモードとオーバースキャンモードとが切り替わるので、テレビジョン受像機１が拡大表示処理された場合においても、映像信号として表示された文字情報の全体を見たい場合と、真円度を損なうことない状態で映像情報を見たい場合とのいずれかの状態をユーザが適宜選択して視聴することが可能となる。
【００３１】
一方、表示補正プログラムＰＲＧのステップＳ２で９面マルチが選択された場合、その旨の信号が、リモコン１３からＲ／Ｃ受光部９を介してマイコン１０に入力される。これを受けてマイコン１０は、９面マルチが選択されたと認識し、９台のテレビジョン受像機１の映像モニタ８用の設定画面を映像モニタ８上にＯＳＤ表示するとともに、各映像モニタ８の表示領域割り当て画面を映像モニタ８上にＯＳＤ表示する（表示補正プログラムＰＲＧのステップＳ８）。これを見てユーザは、リモコン１３を適宜操作することにより、９個の映像モニタ８について、その配置ポジション（上段左列、上段中央列、上段右列、中段左列、中段中央列、中段右列、下段左列、下段中央列、下段右列）をそれぞれ設定し、各映像モニタ８について、色の濃さ、色あい、明るさ、画面位置など各種の調整を行う。
【００３２】
次いで、マイコン１０は、アンダースキャン／オーバースキャンの設定選択画面を映像モニタ８上にＯＳＤ表示する（表示補正プログラムＰＲＧのステップＳ９）。これに見てユーザは、映像情報の種類（画像情報なのか、文字情報なのか）に応じて、アンダースキャンとオーバースキャンのいずれか一方を選択して指示する（表示補正プログラムＰＲＧのステップＳ１０）。すなわち、文字情報を読む場合はアンダースキャンを選択し、画像情報を見る場合はオーバースキャンを選択する。
【００３３】
そして、アンダースキャンが選択された場合、マイコン１０は、アンダースキャンモードに切り替え、目地補正を行うことなく映像情報を拡大表示する（表示補正プログラムＰＲＧのステップＳ１１）。このとき、マイコン１０は、選択または調整された所定倍率で映像情報のうちの一部領域を表示部に拡大表示する。すなわち、マイコン１０は、映像情報を水平方向および垂直方向にそれぞれ３等分（全部で９分割）し、それらを水平方向および垂直方向にそれぞれ３倍（面積で９倍）に拡大し、その状態で９個の映像モニタ８に表示する。
【００３４】
その結果、画像情報、例えば楕円については、映像モニタ８の目地部分で画像（楕円）が間延びして全体として不自然に表示されてしまう。
【００３５】
これに対して、文字情報については、目地補正が行われないので、文字情報が目地に隠れる形で欠落する恐れはない。したがって、エンラージ機能を利用して９面マルチで文字情報を表示しても、その文字情報を常に正しく読むことができる。
【００３６】
他方、オーバースキャンが選択された場合、マイコン１０は、オーバースキャンモードに切り替え、目地補正を行いつつ映像情報を拡大表示する（表示補正プログラムＰＲＧのステップＳ１２）。このとき、マイコン１０は、選択または調整された所定倍率で映像情報のうちの一部領域を表示部に拡大表示すると同時に、映像モニタ８に表示された映像情報を垂直方向および水平方向に対しそれぞれ所定の幅で移動表示処理する。すなわち、マイコン１０は、映像情報を水平方向および垂直方向にそれぞれ３等分（全部で９分割）し、それらを水平方向および垂直方向にそれぞれ３倍（面積で９倍）に拡大する。さらに、マイコン１０は、ＲＯＭ１１からメモリマップ１２を読み出し、このメモリマップ１２に記載された９画面用の水平方向および垂直方向の移動量だけ映像情報を間引き、その状態で９個の映像モニタ８に表示する。
【００３７】
例えば、図１に示すテレビジョン受像機１のメモリマップ１２には、９画面用の水平方向および垂直方向の移動量として、画面１（図３の上段左列の映像モニタ８）については右２１２ドット、下１８２ドット、画面２（図３の上段中央列の映像モニタ８）については左右ゼロドット、下１８２ドット、画面３（図３の上段右列の映像モニタ８）については左２１２ドット、下１８２ドット、画面４（図３の中段左列の映像モニタ８）については右２１２ドット、上下ゼロドット、画面５（図３の中段中央列の映像モニタ８）については左右ゼロドット、上下ゼロドット、画面６（図３の中段右列の映像モニタ８）については左２１２ドット、上下ゼロドット、画面７（図３の下段左列の映像モニタ８）については右２１２ドット、上１８２ドット、画面８（図３の下段中央列の映像モニタ８）については左右ゼロドット、上１８２ドット、画面９（図３の下段右列の映像モニタ８）については左２１２ドット、上１８２ドットと記載されている。したがって、画面１に表示される映像情報は、右側および下側がそれぞれ２１２ドットおよび１８２ドットだけ間引かれ、画面２に表示される映像情報は、下側が１８２ドットだけ間引かれ、画面３に表示される映像情報は、左側および下側がそれぞれ２１２ドットおよび１８２ドットだけ間引かれる。また、画面４に表示される映像情報は、右側が２１２ドットだけ間引かれ、画面５に表示される映像情報は、間引かれることが一切なく、画面６に表示される映像情報は、左側が２１２ドットだけ間引かれる。さらに、画面７に表示される映像情報は、右側および上側がそれぞれ２１２ドットおよび１８２ドットだけ間引かれ、画面８に表示される映像情報は、上側が１８２ドットだけ間引かれ、画面９に表示される映像情報は、左側および上側がそれぞれ２１２ドットおよび１８２ドットだけ間引かれる。このように、各画面に表示される映像情報の間引き量、つまり水平方向および垂直方向の移動量は、予め各テレビジョン受像機１に映像モニタ８のサイズに対応する形でメモリされているので、目視に頼らざるを得ない従来法と比べて、マルチ表示装置２１、３１に必要な目地補正を正確に行うことができる。また、この移動量は映像モニタ８の画素数で表現されているため、マイコン１０による間引き制御が容易となる。
【００３８】
その結果、文字情報については、目地補正が行われるため、文字情報が目地に隠れる形で欠落する恐れがある。
【００３９】
これに対して、画像情報、例えば楕円については、上述した４面マルチの場合と同様、目地補正が行われるため、図６に示すように、楕円が歪むことなく自然に表示される。すなわち、この目地補正における水平方向および垂直方向の移動量は、上述したとおり、選択または調整された所定倍率および拡大表示された一部領域の位置に応じて決定されているため、１フレームに対し分割された各表示領域に対して適当な垂直、水平方向移動処理ができることによって、任意の倍率で拡大表示されてもフレーム全体として真円度を損なうことのない最適な表示処理をすることが可能となる。
【００４０】
このように、ユーザからの指示に基づいてアンダースキャンモードとオーバースキャンモードとが切り替わるので、テレビジョン受像機１が拡大表示処理された場合においても、映像信号として表示された文字情報の全体を見たい場合と、真円度を損なうことない状態で映像情報を見たい場合とのいずれかの状態をユーザが適宜選択して視聴することが可能となる。
【００４１】
＜第２の実施形態−請求項１、５に対応＞
なお、上述の実施形態においては、１フレームに対し分割された各表示領域に対して適当な垂直、水平方向移動処理ができることによって、任意の倍率で拡大表示されてもフレーム全体として真円度を損なうことのない最適な表示処理をすることが可能になるようにするため、選択または調整された所定倍率および拡大表示された一部領域の位置に応じて、表示された映像情報の垂直方向および水平方向の移動量がそれぞれ決定される場合について説明した。しかし、表示された映像情報の垂直方向および水平方向の移動量は、必ずしも、選択または調整された所定倍率および拡大表示された一部領域の位置に応じて決定する必要はない。この場合でも、任意の拡大率に対してそれぞれ最適な真円度で映像情報を表示することは可能である。
【００４２】
＜第３の実施形態−請求項１、２、５、６に対応＞
なお、上述の実施形態においては、テレビジョン受像機１が拡大表示処理された場合においても、映像信号として表示された文字情報の全体を見たい場合と、真円度を損なうことない状態で映像情報を見たい場合とのいずれかの状態をユーザが適宜選択して視聴することが可能になるようにするため、複数のテレビジョン受像機１によって入力された映像情報のうち全ての情報を表示する第１のモード（アンダースキャンモード）と、入力された映像情報のうち映像モニタ８の周辺領域が占有する幅の分だけ間引いた情報を表示する第２のモード（オーバースキャンモード）とを有し、第１および第２のモードを選択するための選択手段としてマイコン１０を有する場合について説明した。しかし、第１および第２のモードを選択する必要がない用途においては、このような選択手段を省いても構わない。
【００４３】
＜第４の実施形態−請求項４、８に対応＞
なお、上述の実施形態においては、２倍（４面マルチの場合）または３倍（９面マルチの場合）に拡大表示する場合について説明した。しかし、この倍率は、２以上の自然数（２、３、４、５、…）の縮尺比に相当する数値であれば何でも構わない。例えば、４倍（１６面マルチの場合）、１０倍（１００面マルチの場合）などである。
【００４４】
＜第５の実施形態＞
なお、上述の実施形態においては、ユーザが４面マルチと９面マルチのいずれかを選択するとき、リモコン１３のエンラージボタン１３ａの１度押しで４面マルチを選択し、リモコン１３のエンラージボタン１３ａの２度押しで９面マルチを選択する場合について説明した。しかし、４面マルチと９面マルチの選択方法はこれに限るわけではなく、他にも種々の方法が考えられる。例えば、リモコン１３に、エンラージボタン１３ａとは別に４面マルチボタンおよび９面マルチボタンを設けておき、これらのボタンのいずれかを押すことにより、４面マルチと９面マルチを適宜選択することも可能である。
【００４５】
＜第６の実施形態＞
なお、上述の実施形態においては、表示装置としてテレビジョン受像機１を例示して説明したが、テレビジョン受像機１以外の表示装置に本発明を適用することも可能である。
【図面の簡単な説明】
【００４６】
【図１】本発明に係る表示装置の第１の実施形態であるテレビジョン受像機の制御ブロック図である。
【図２】図１に示すテレビジョン受像機を用いて４面のマルチ表示装置を構成した状態を示す模式図である。
【図３】図１に示すテレビジョン受像機を用いて９面のマルチ表示装置を構成した状態を示す模式図である。
【図４】表示補正プログラムのフローチャートである。
【図５】４面のマルチ表示装置のアンダースキャン／オーバースキャン処理時の表示例を示す模式図である。
【図６】９面のマルチ表示装置のオーバースキャン処理時の表示例を示す模式図である。
【符号の説明】
【００４７】
１……テレビジョン受像機（表示装置）
２……チューナ
３……ビデオ入力部
４……ビデオスイッチ
５……フレームメモリ
６……映像処理回路
７……スケーラー処理回路
８……映像モニタ（表示部）
１０……マイコン（選択手段）
１１……ＲＯＭ
１２……メモリマップ
１３……リモコン
２１……４面のマルチ表示装置
３１……９面のマルチ表示装置
【図１】
2006319509.tif 000003
【図２】
2006319509.tif 000004
【図３】
2006319509.tif 000005
【図４】
2006319509.tif 000006
【図５】
2006319509.tif 000007
【図６】
2006319509.tif 000008